(57)【特許請求の範囲】
【請求項１】
キャビネット（１）の開口部（２）及び該開口部の前面に開方向（Ｘ1 ）又は閉方向（Ｘ2 ）にスライド可能に設けられたスライド扉（３）に取り付けられ、前記スライド扉を閉じたときに該スライド扉と前記開口部の一端縁（２ａ，３ａ）同士を当接させた状態に保持するロック機構を有する把手装置（１０）であって、
前記スライド扉（３）の開閉端縁に取り付けられ、
操作開口（１４）が設けられた前面パネル（１３）と、前記前面パネル（１３）の裏面に設けられ、操作開口（１４）を囲む壁（１５）の内側に形成された収容部（１６）と、を備える本体ケース（１２）と、
前記本体ケース（１２）の前記収容部（１６）に収容され、前記壁（１５）の前記スライド扉（３）の開方向側に回動可能に取り付けられた揺動軸（１９）と、前記揺動軸（１９）の軸周りに設けられ、前記操作開口（１４）の前記スライド扉（３）の開方向側に配置された操作面（２０）と、前記操作面（２０）を前記スライド扉（３）の開方向に押動操作することで前記揺動軸（１９）を中心に前記スライド扉（３）の開方向又は閉方向と略直交する前後方向に所定の揺動範囲で揺動するとともに、その揺動端縁に突出して配置されたラッチ（２１）と、を備えるとともに、前記揺動軸、前記操作面及び前記ラッチが一体の部材からなる操作レバー（１８）と、
前記本体ケース（１２）と前記操作レバー（１８）の間に設けられ、前記ラッチ（２１）をその揺動方向における後側に押し付ける付勢部材（２４）と、
からなる把手装置本体（１１）と、
前記キャビネット（１）の前記開口部（２）の前記当接する一端縁側に取り付けられ、前記スライド扉（３）を閉じたときに、前記操作レバー（１８）の前記ラッチ（２１）と係合する係合凹部（３０）が設けられ、前記ラッチ（２１）と共に前記ロック機構を構成するラッチ受け（２９）と、
を具備し、
前記操作レバー（１８）は、その前記ラッチ（２１）が、操作レバー（１８）の揺動端縁の中間部から突出して設けられ、操作レバー（１８）のラッチ（２１）突出部の上下の底部は、前記壁（１５）の内側に設けられた上下の突起（１７）に当接して操作レバー（１８）の揺動範囲が規制されるとともに、操作レバー（１８）のラッチ（２１）が壁（１５）に形成された切欠部分を通して前記収容部（１６）から突出し、前記ラッチ受け（２９）の前記係合凹部（３０）に係合されることを特徴とする把手装置。
【請求項２】
前記付勢部材（２４）は、捩じりコイルばねからなり、前記揺動軸（１９）の軸周りに設けられることを特徴とする請求項１記載の把手装置。
【発明の詳細な説明】
【技術分野】
【０００１】
本発明は、キャビネットの開口部及びこの開口部を開閉するために設けられたスライド扉に各部材が取り付けられて構成され、スライド扉を閉じたときに、スライド扉とキャビネットの開口部の一端縁同士を当接させた状態に保持するロック機構を有する把手装置に関する。
【背景技術】
【０００２】
キャビネットの開口部及びキャビネットの開口部の前面に開方向又は閉方向にスライド可能に設けられたスライド扉には、スライド扉の不意の開放を防止するためにスライド扉を閉じたときにロックするロック機構を有する把手装置が取り付けられることがある。
【０００３】
例えば下記特許文献１にはこのようなロック機構を有する把手装置が開示されている。図１４及び１５に示すように、この把手装置１００は、キャビネット１０１の開口縁部に設けられたロック穴１０２と、スライド扉１０３に設けられ、ロック穴１０２に係合するラッチ装置１０４を備えている。ラッチ装置１０４は、ロック穴１０２に嵌まり込むロックアーム１０５と、スライド扉１０３の開方向にスライドさせることでロック穴１０２に嵌まり込んだロックアーム１０５をロック穴１０２から係脱させるスライダ１０６とを備えている。また、ラッチ装置１０４は、スライダ１０６とスライド扉１０３の間に設けられ、スライド扉１０３の閉方向に向けてスライダ１０６を付勢する付勢手段（スプリング）１０７と、スライダ１０６とロックアーム１０５の間に設けられ、スプリング１０７の付勢力に抗してスライダ１０６をスライド扉１０３の開方向にスライドさせたときに、ロックアーム１０５をキャビネット１０１のロック穴１０２から係脱させるカム機構１０８を備えている。さらに、ラッチ装置１０４は、スライド扉１０３に固定されるケース１０９有しており、スライダ１０６がケース１０９にスライド可能に取り付けられ、ロックアーム１０５がケース１０９に回転可能に取り付けられている。また、カム機構１０８は、スライダ１０６とロックアーム１０５のいずれか一方に設けられたカム溝１１０と、カム溝１１０をトレースするピン１１１とから構成されている。
【０００４】
この把手装置１００によれば、スライド扉１０３の把手として使用することができることはもちろん、スライド扉１０３の開閉操作に関連して自然な操作でラッチ装置１０４のロック及びロック解除が可能となる。また、スプリング１０７の付勢力でスライダ１０６が自動的に復帰するようになる。さらに、ラッチ装置１０４を構成する主要部材をケース１０９に収容することで、ケース１０９を介してスライド扉１０３に容易に取り付けることができる。
【先行技術文献】
【特許文献】
【０００５】
【特許文献１】特開平１０−２１４０号公報
【発明の概要】
【発明が解決しようとする課題】
【０００６】
しかしながら、従来の把手装置１００は、ラッチ装置１０４を構成する付勢手段としてのスプリング１０７やカム機構１０８などの主要部材がケース１０９に収容されることで簡素化された構成となるが、それでもまだスライダ１０６などが別部材としてあるため、スライド扉への取付作業が煩雑になっていた。なお、ラッチ装置１０４は、ケース１０９の後側からは中の機構が露出しており、ケース１０９の後面を覆うためにカバーなどを設けようとすると更に部材が増えてしまう。
【０００７】
また、ラッチ装置１０４のロック及びロック解除にカム機構１０８を用いているため、把手装置１００の特にラッチ装置１０４の構成が複雑であった。
【０００８】
そこで本発明は、上記状況に鑑みてなされたものであり、従来の把手装置よりも簡素な構成で、取付作業が更に容易となる把手装置を提供することを目的としている。
【課題を解決するための手段】
【０００９】
次に、上記の課題を解決するための手段を、実施の形態に対応する図面を参照して説明する。
本発明に係る請求項１記載の把手装置は、キャビネット１の開口部２及び該開口部２の前面に開方向Ｘ1 又は閉方向Ｘ2 にスライド可能に設けられたスライド扉３に各部材が取り付けられ、前記スライド扉３を閉じたときに該スライド扉３と前記開口部２の一端縁２ａ，３ａ同士を当接させた状態に保持するロック機構を有する把手装置１０であって、
前記スライド扉３の前記当接する一端縁３ａ近傍に、取付穴４ａと、前記当接する一端縁３ａから前記取付穴４ａに連通した切欠き４ｂと、からなる本体取付部４が設けられており、
前記本体取付部４に取り付けられ、
操作開口１４が設けられた前面パネル１３と、前記前面パネル１３の裏面に設けられ、前記本体取付部４の前記取付穴４ａに嵌入される壁１５に囲まれて形成された、前記操作開口１４に連通する収容部１６と、を備える本体ケース１２と、
前記本体ケース１２の前記収容部１６に収容され、前記壁１５の前記スライド扉３の開方向Ｘ1 側に回動可能に取り付けられた揺動軸１９と、前記揺動軸１９の軸周りに設けられ、前記操作開口１４の前記スライド扉３の開方向Ｘ1 側に配置された操作面２０と、前記操作面２０を前記スライド扉３の開方向Ｘ1 に押動操作することで前記揺動軸１９を中心に前記スライド扉３の開方向Ｘ1 又は閉方向Ｘ2 と略直交する前後方向に所定の揺動範囲で揺動するとともにその揺動端に係合凸部２２が設けられ、前記収容部１６から前記スライド扉３の前記当接する一端縁３ａ側の外部に突出して該端縁３ａに配置されたラッチ２１と、を備えるとともに、前記揺動軸１９、前記操作面２０及び前記ラッチ２１が一体の部材からなる操作レバー１８と、
前記本体ケース１２と前記操作レバー１８の間に設けられ、前記ラッチ２１をその揺動方向における後側に押し付ける付勢部材２４と、
前記本体ケース１２の後面に取り付けられ、後面パネル２６と、前記後面パネル２６の裏面に前記前面パネル１３の前記壁１５と嵌合可能に設けられ、前記本体取付部４の前記取付穴４ａに嵌入される壁２７と、を備える本体カバー２５と、からなる本体１１と、
前記キャビネット１の前記開口部２の前記当接する一端縁２ａに取り付けられ、
前記スライド扉３を閉じたときに前記操作レバー１８の前記ラッチ２１の前記係合凸部２２と係合する係合凹部３０が設けられ、前記ラッチ２１と共に前記ロック機構を構成するラッチ受け２９と、
を具備している。
前記操作レバー１８は、その前記ラッチ２１が、操作レバー１８の揺動端縁の中間部から突出して設けられ、操作レバー１８のラッチ２１突出部の上下の底部は、前記壁１５の内側に設けられた上下の突起１７に当接して操作レバー１８の揺動範囲が規制されるとともに、操作レバー１８のラッチ２１が壁１５に形成された切欠部分を通して前記収容部１６から突出し、前記ラッチ受け２９の前記係合凹部３０に係合されることを特徴としている。
【００１０】
参考例の把手装置は、キャビネット１の開口部２及び該開口部２の前面に開方向Ｘ1 又は閉方向Ｘ2 にスライド可能に設けられたスライド扉３に各部材が取り付けられ、前記スライド扉３を閉じたときに該スライド扉３と前記開口部２の一端縁２ａ，３ａ同士を当接させた状態に保持するロック機構を有する把手装置（５０）であって、
前記スライド扉３の前記当接する一端縁３ａ近傍に取付穴４ａからなる本体取付部４が設けられており、
前記本体取付部４に取り付けられ、
操作開口５４が設けられた前面パネル５３と、前記前面パネル５３の裏面に設けられ、前記本体取付部４の前記取付穴４ａに嵌入される壁５５に囲まれて形成された、前記操作開口５４に連通する収容部５６と、前記壁５５の前記スライド扉３の閉方向Ｘ2 側に設けられた規制穴５７と、を備える本体ケース５２と、
前記本体ケース５２の前記収容部５６に収容され、前記壁５５の前記スライド扉３の開方向Ｘ1 側に回動可能に取り付けられた揺動軸５９と、前記揺動軸５９の軸周りに設けられ、前記操作開口５４の前記スライド扉３の開方向Ｘ1 側に配置された操作面６０と、前記操作面６０を前記スライド扉３の開方向Ｘ1 に押動操作することで前記揺動軸５９を中心に前記スライド扉３の開方向Ｘ1 又は閉方向Ｘ2 と略直交する前後方向に揺動するとともにその揺動端に係合凸部６２が設けられ、前記収容部５６から前記スライド扉３の前記当接する一端縁３ａ側の外部に突出して該端縁３ａに配置されたラッチ６１と、前記壁５５の前記規制穴５７に板状の規制部６３ｃが挿通されその移動が規制されることで前記ラッチ６１の揺動範囲を規制し、及び前記規制穴５７から前記規制部６３ｃが外れることで前記ラッチ６１の揺動範囲を規制解除するストッパ６３と、を備えるとともに、前記揺動軸５９、前記操作面６０及び前記ラッチ６１が一体の部材からなる操作レバー５８と、
前記本体ケース５２と前記操作レバー５８の間に設けられ、前記ラッチ６１をその揺動方向における後側に押し付ける付勢部材６４と、
前記本体ケース５２の後面に取り付けられ、後面パネル６６と、前記後面パネル６６の裏面に前記前面パネル５３の前記壁５５と嵌合可能に設けられ、前記本体取付部４の前記取付穴４ａに嵌入される壁６７と、を備える本体カバー６５と、からなる本体５１と、
前記キャビネット１の前記開口部２の前記当接する一端縁２ａに取り付けられ、
前記スライド扉３を閉じたときに前記操作レバー５８の前記ラッチ６１の前記係合凸部６２と係合する係合凹部７０が設けられ、前記ラッチ６１と共に前記ロック機構を構成するラッチ受け６９と、
を具備することを特徴としている。
【００１１】
なお、上記請求項１及び参考例における「スライド扉の開方向又は閉方向」の「又は」はいわゆる「及び又は」であり、併合的な意味で用いている。
【００１２】
上記参考例記載の把手装置において、前記ストッパ６３は、前記スライド扉３の開方向Ｘ1 又は閉方向Ｘ2 に沿った長穴６３ａが設けられた板体からなり、前記長穴６３ａを介したねじ６３ｂにて取り付けられることで、前記規制部６３ｃが前記スライド扉３の開方向Ｘ1 及び閉方向Ｘ2 に進退可能に設けられることを特徴としている。
【００１３】
請求項２記載の把手装置は、請求項１記載の把手装置において、前記付勢部材２４，６４は、捩じりコイルばねからなり、前記揺動軸１９，５９の軸周りに設けられることを特徴としている。
【発明の効果】
【００１４】
本発明に係る請求項１記載の把手装置によれば、操作レバーが一体部材からなることで、少ない部材でロック機構を構成することができる。これにより、簡素な構成の把手装置となる。また、操作レバーが本体ケースの収容部に収容されているため、スライド扉に対して、操作レバーを収容した本体ケースと本体カバーを組み付けるだけで把手装置の本体の取付作業が完了するようになる。したがって、取付作業が更に容易となる。
また、ラッチがラッチ受けの係合凹部に係合されたときに、ラッチの上下の底部が上下の突起に当接して揺動するということがなく、ラッチがラッチ受けに確実に位置決めされて係合され、その係合ロック状態がスムーズで安定するという効果がある。
【００１５】
参考例の把手装置によれば、少ない部材でロック機構を構成することができる。これにより、簡素な構成の把手装置となる。また、操作レバーが本体ケースの収容部に収容されているため、スライド扉に対して、操作レバーを収容した本体ケースと本体カバーを組み付けるだけで把手装置の本体の取付作業が完了するようになり、その作業が更に容易となる。さらに、このような請求項１と略同等の効果に加えて、ラッチの揺動範囲を規制解除することで、操作レバーが揺動軸を中心に本体ケースの後側に回動可能となり、本体ケースの収容部からスライド扉の当接する一端縁から突出していたラッチを、本体ケースの収容部の幅内に収めることができる。これにより、これまで本体をスライド扉に取り付けるときにラッチを逃がすために設けていた切欠きが不要となり、本体取付部が取付穴だけで構成されていても、把手装置の本体を取り付けることができるようになる。
【００１６】
上記参考例の把手装置によれば、ストッパが長穴の長手方向の範囲で移動可能となり、可動式ストッパを簡素な構成で実現することができる。
【００１７】
請求項２記載の把手装置によれば、ラッチをその揺動方向の後側に押し付けるような付勢部材を簡素な構成で実現することができる。
【図面の簡単な説明】
【００１８】
【図１】本発明に係る把手装置の第１の実施の形態の分解斜視図である。
【図２】同実施の形態を取り付けるときの斜視図である。
【図３】（ａ）同実施の形態を取り付けたスライド扉を閉じた状態を示す正面図である。  （ｂ）同実施の形態を取り付けたスライド扉を開けた状態を示す正面図である。
【図４】（ａ）同実施の形態が備える操作レバー（ラッチ）とラッチ受けの係合状態を示す断面図（図３（ａ）におけるＡ−Ａ断面図）である。  （ｂ）同実施の形態が備える操作レバー（ラッチ）とラッチ受けの係合解除状態を示す断面図である。
【図５】図３（ａ）におけるＢ−Ｂ断面図である。
【図６】同実施の形態が備えるストッパの他の例を示す側面図である。
【図７】本発明に係る把手装置の第２の実施の形態の分解斜視図である。
【図８】同実施の形態を取り付けるときの斜視図である。
【図９】同実施の形態を取り付けた状態を示す斜視図である。
【図１０】（ａ）同実施の形態を取り付けたスライド扉を閉じた状態を示す正面図である。  （ｂ）同実施の形態を取り付けたスライド扉を開けた状態を示す正面図である。
【図１１】（ａ）同実施の形態が備えるストッパによってラッチの揺動範囲を規制した状態を示す断面図（図１０（ａ）におけるＣ−Ｃ断面図）である。  （ｂ）同実施の形態が備えるストッパによってラッチの揺動範囲を規制解除した状態を示す断面図である。
【図１２】（ａ）同実施の形態が備える操作レバー（ラッチ）とラッチ受けの係合状態を示す断面図（図１０（ａ）におけるＤ−Ｄ断面図）である。  （ｂ）同実施の形態が備える操作レバー（ラッチ）とラッチ受けの係合解除状態を示す断面図である。
【図１３】図１０（ａ）におけるＥ−Ｅ断面図である。
【図１４】従来の把手装置におけるロック機構を構成するラッチ装置の正面図である。
【図１５】従来の把手装置（スライド扉を閉じた状態）の背面図である。
【発明を実施するための形態】
【００１９】
以下、本発明の各実施の形態を図面を参照して具体的に説明する。
図２（図８）に示すように、この実施の形態は、キャビネット１の開口部２及びキャビネット１の開口部２の前面に開方向Ｘ1 又は閉方向Ｘ2 にスライド可能に設けられたスライド扉３に各部材が取り付けられ、スライド扉３の把手としての機能の他、スライド扉３の不意の開放を防止するためにこのスライド扉３を閉じたときにロックする機能を有する把手装置１０（５０）である。
【００２０】
「第１の実施の形態」
図１及び２に示すように、把手装置１０は、スライド扉３を閉じたときに、キャビネット１の開口部２の端縁２ａと当接するスライド扉３の一端縁（当接端縁）３ａに取り付けられる本体１１と、スライド扉３の当接端縁３ａと当接するキャビネット１の開口部２の一端縁（当接端縁）２ａに取り付けられるラッチ受け２９とから構成されている。
【００２１】
図２に示すように、スライド扉３の当接端縁３ａの近傍には、略長円形の取付穴４ａと、当接端縁３ａから取付穴４ａに連通した切欠き４ｂとからなる本体取付部４が設けられている。
【００２２】
図１及び２に示すように、本体１１は、スライド扉３の本体取付部４に取り付けられ、本体ケース１２と、操作レバー１８と、付勢部材２４と、本体カバー２５とを備えている。本体ケース１２は、本体１１の取付状態においてスライド扉３の前面に配置される、略矩形の操作開口１４が設けられた略矩形の前面パネル１３を備えている。前面パネル１３の裏面には、本体取付部４の取付穴４ａに嵌入可能となるように取付穴４ａの形状と略同等形状の外形に形成された壁１５が設けられ、本体ケース１２は、この壁１５に囲まれて形成された、前面パネル１３の操作開口１４に連通する収容部１６を備えている。また、壁１５のスライド扉３の閉方向Ｘ2 側の面には、本体１１の取付状態において本体取付部４の切欠き４ｂに嵌入されるように略コ字形に形成された部分１５ａがある。この部分１５ａの内部は、スライド扉３の当接端縁３ａから収容部１６までを連通させる空間となる。
【００２３】
また、壁１５のスライド扉３の閉方向Ｘ2 側の内面には突起１７が設けられている。この突起１７は、本体ケース１２に後述する操作レバー１８を取り付けたときに、操作レバー１８のラッチ２１の揺動範囲を規制するストッパとなる。
【００２４】
操作レバー１８は、本体ケース１２の壁１５の対向する上下の面にスライド扉３の開方向Ｘ1 又は閉方向Ｘ2 に回動可能に取り付けられる揺動軸１９を備えており、この揺動軸１９が取り付けられることで、本体ケース１２の収容部１６に収容されるように取り付けられる。揺動軸１９の軸周りには、本体１１の取付状態における前面側にスライド扉３の開方向Ｘ1 又は閉方向Ｘ2 と略直交する前後方向に略平坦な操作面２０が形成されている。この操作面２０は、操作レバー１８を本体ケース１１に取り付けたときに、操作開口１４のスライド扉３の開方向Ｘ1 側に配置されるようになる。また、操作レバー１８は、スライド扉３の閉方向Ｘ2 側の端縁（スライド扉３の当接端縁３ａ）から延出して設けられたラッチ２１を備えている。ラッチ２１は、本体１１の取付状態において操作面２０をスライド扉３の開方向Ｘ1 に押動操作することで揺動軸１９を中心に、スライド扉３の開方向Ｘ1 又は閉方向Ｘ2 と略直交する前後方向（以下、この方向を揺動方向という。）に揺動する。ラッチ２１の揺動端には揺動方向の後側に屈曲形成された係合凸部（係合爪）２２が設けられている。ラッチ２１は、操作レバー１８を本体ケース１２に取り付けたときに、本体ケース１２の収容部１６からスライド扉３の当接端縁３ａ側の外部に突出しており、本体１１の取付状態において本体ケース１２の壁１５のコ字形部分１５ａに囲まれた状態でスライド扉３の当接端縁３ａに配置される。
【００２５】
操作レバー１８は、インジェクション成形などによって、揺動軸１９、操作面２０、ラッチ２１が形成された一体の部材からなる。操作レバー１８のスライド扉３の閉方向Ｘ2 側の端縁には、本体ケース１２の壁１５の内面の突起１７に当接する溝２３が設けられている。上述したように、この溝２３とストッパとなる突起１７によって、ラッチ２１の揺動範囲が規制される。
【００２６】
本体ケース１２と操作レバー１８の間には、操作レバー１８のラッチ２１をその揺動方向における後側に押し付ける付勢部材２４が設けられている。具体的には、付勢部材２４は、捩じりコイルばねからなる。図５に示すように、付勢手段となる捩じりコイルばね２４は、コイル状部分が揺動軸１９に挿通されている。このように揺動軸１９の軸周りに設けられた捩じりコイルばね２４の２本の線状部分の一方２４ａが本体ケース１２に当接し、他方２４ｂが操作レバー１８に当接することでラッチ２１を付勢している。
【００２７】
本体カバー２５は、本体１１の取付状態においてスライド扉３の後面に配置される略矩形の後面パネル２６を備えている。後面パネル２６の裏面には、本体ケース１２の壁１５に嵌合可能となるようにこの壁１５と略同等の形状に形成された壁２７が設けられている。この壁２７は、本体ケース１２の壁１５と共に本体取付部４の取付穴４ａに嵌入可能となるように取付穴４ａの形状と略同等形状の外形に形成されている。本体カバー２５は、ねじ２８などで本体ケース１２の後面に取り付けられる。
【００２８】
図２に示すように、キャビネット１の開口部２の当接端縁２ａに取り付けられるラッチ受け２９は、その取付状態において上述した操作レバー１８のラッチ２１の揺動方向の前側に傾斜面を有する略矩形に形成されている。ラッチ受け２９の傾斜面には、スライド扉３を閉じたときにラッチ２１の係合爪２２と係合するための係合凹部（係合溝）３０が設けられている。ラッチ受け２９は、キャビネット１の開口部２の当接端縁２ａにビス３１などで取り付けられる。ラッチ受け２９は、操作レバー１８のラッチ２１と共に、スライド扉３を閉じたときにこのスライド扉３の当接端縁３ａとキャビネット１の開口部２の当接端縁２ａを当接させた状態に保持するロック機構となる。
【００２９】
上述した実施の形態（把手装置１０）では、図３（ａ）に示すようなスライド扉３を閉じた状態において、図４（ａ）に示すように、ロック機構を構成する操作レバー１８のラッチ２１は、その係合爪２２がラッチ受け２９の係合溝３０に係合した状態である。本体１１前面の操作開口１４に手指を挿入してスライド扉３を開方向Ｘ1 にスライド移動させる動作（スライド扉３を開ける動作）を行うために操作レバー１８の操作面２０を操作開口１４に挿入した手指で開方向Ｘ1 に押動操作することで、図４（ｂ）に示すように、ラッチ２１が揺動してその揺動方向の前側に移動して係合爪２２と係合溝３０の係合状態が解除される。このように係合解除されると、図３（ｂ）に示すように、スライド扉３を開けることができる。
【００３０】
上述した実施の形態（把手装置１０）によれば、操作レバー１８が一体部材からなることで、少ない部材でロック機構を構成することができる。これにより、簡素な構成の把手装置１０となる。また、操作レバー１８が本体ケース１２の収容部１６に収容されているため、スライド扉３に対して、操作レバー１８を収容した本体ケース１２と本体カバー２５を組み付けるだけで把手装置１０の取付作業が完了するようになる。したがって、取付作業が更に容易となる。
【００３１】
また、ラッチ２１をその揺動方向の後側に押し付けるような付勢部材２４を簡素な構成で実現することができる。
【００３２】
図６にはストッパの他の例を示している。この例では、本体ケース１２の壁１５のスライド扉３の当接端縁３ａ側の面に略矩形の穴４０が設けられ、操作レバー１８のスライド扉３の当接端縁３ａ側の端縁にストッパとなる略矩形の凸部４１が設けられ、本体ケース１２に操作レバー１８を取り付けたときに凸部４１が壁１５の穴４０に挿通されて配置されることで、ラッチ２１の揺動範囲が規制される。
【００３３】
「第２の実施の形態」
第２実施の形態は、本願の参考例である。
以下で説明する第２の実施の形態において、把手装置の構成に関する箇所以外の箇所には上述した第１の実施の形態と同一の符号を付し、その説明を省略する。
図７乃至９に示すように、本体５１は、スライド扉３の本体取付部４に取り付けられ、本体ケース５２と、操作レバー５８と、付勢部材６４と、本体カバー６５とを備えている。なお、上述した第１の実施の形態では本体取付部４は取付穴４ａと切欠き４ｂから構成されているが、図８に示すように、この実施の形態では本体取付部４は取付穴４ａだけで構成されている。本体ケース５２は、本体５１の取付状態においてスライド扉３の前面に配置される、略矩形の操作開口５４が設けられた略矩形の前面パネル５３を備えている。前面パネル５３の裏面には、本体取付部４の取付穴４ａに嵌入可能となるように取付穴４ａの形状と略同等形状の外形に形成された壁５５が設けられ、本体ケース５２は、この壁５５に囲まれて形成された、前面パネル５３の操作開口５４に連通する収容部５６を備えている。なお、スライド扉３の当接端縁３ａには、後述する操作レバー５８のラッチ６１が配置されるための空間となる切欠きが設けられている。
【００３４】
また、壁５５のスライド扉３の閉方向Ｘ2 側の面には略矩形の規制穴５７が設けられている。この規制穴５７には、後述するストッパ６３の規制部６３ｃが挿通されて配置される。
【００３５】
操作レバー５８は、本体ケース５２の壁５５の対向する上下の面にスライド扉３の開方向Ｘ1 又は閉方向Ｘ2 に回動可能に取り付けられる揺動軸５９を備えており、この揺動軸５９が取り付けられることで、本体ケース５２の収容部５６に収容されるように取り付けられる。揺動軸５９の軸周りには、本体５１の取付状態における前面側にスライド扉３の開方向Ｘ1 又は閉方向Ｘ2 と略直交する前後方向に略平坦な操作面６０が形成されている。この操作面６０は、操作レバー５８を本体ケース５１に取り付けたときに、操作開口５４のスライド扉３の開方向Ｘ1 側に配置されるようになる。また、操作レバー５８は、スライド扉３の閉方向Ｘ2 側の端縁（スライド扉３の当接端縁３ａ）から延出して設けられたラッチ６１を備えている。ラッチ６１は、本体５１の取付状態において操作面６０をスライド扉３の開方向Ｘ1 に押動操作することで揺動軸５９を中心に、スライド扉３の開方向Ｘ1 又は閉方向Ｘ2 と略直交する前後方向（以下、この方向を揺動方向という。）に揺動する。ラッチ６１の揺動端には揺動方向の後側に屈曲形成された係合凸部（係合爪）６２が設けられている。ラッチ６１は、操作レバー５８を本体ケース５２に取り付けたときに、本体ケース５２の収容部５６からスライド扉３の当接端縁３ａ側の外部に突出しており、スライド扉３の当接端縁３ａに設けられた切欠きに配置される。
【００３６】
操作レバー５８は、インジェクション成形などによって、揺動軸５９、操作面６０、ラッチ６１が形成された一体の部材からなる。操作レバー５８のスライド扉３の閉方向Ｘ2 側の端縁には上述したストッパ６３が設けられている。ストッパ６３は、スライド扉３の開方向Ｘ1 又は閉方向Ｘ2 に長い略矩形の板体からなり、その面には長手方向がスライド扉３の開方向Ｘ1 又は閉方向Ｘ2 を向いた長穴６３ａが設けられている。ストッパ６３は、長穴６３ａを介したねじ６３ｂにて操作レバー５８に取り付けられている。これにより、図１１に示すように、ストッパ６３の先端部からなる規制部６３ｃは、長穴６３ａの長手方向の長さ分だけスライド扉３の開方向Ｘ1 及び閉方向Ｘ2 に進退可能となり、操作レバー５８を本体ケース５２に取り付けた状態において、規制部６３ｃがスライド扉３の閉方向Ｘ2 に移動すると、ストッパ６３の先端部からなる規制部６３ｃが本体ケース５２の壁５５の規制穴５７に挿通されてラッチ６１の揺動範囲を規制し、規制部６３ｃがスライド扉３の開方向Ｘ1 に移動すると、規制部６３ｃが規制穴５７から外れてラッチ６１の揺動範囲を規制解除する。ラッチ６１の揺動範囲が規制解除されると、操作レバー５８は揺動軸５９を中心に回動して、前面パネル５３側から見て、ラッチ６１は本体ケース５２の収容部５６の幅内に収まるようになる。
【００３７】
本体ケース５２と操作レバー５８の間には、操作レバー５８のラッチ６１をその揺動方向における後側に押し付ける付勢部材６４が設けられている。具体的には、付勢部材６４は捩じりコイルばねからなる。図１３に示すように、付勢手段となる捩じりコイルばね６４は、コイル状部分が揺動軸５９に挿通されている。このように揺動軸５９の軸周りに設けられた捩じりコイルばね６４の２本の線状部分の一方６４ａが本体ケース５２に当接し、他方６４ｂが操作レバー５８に当接することでラッチ６１を付勢している。
【００３８】
本体カバー６５は、本体５１の取付状態においてスライド扉３の後面に配置される略矩形の後面パネル６６を備えている。後面パネル６６の裏面には、本体ケース５２の壁５５に嵌合可能となるようにこの壁５５と略同等の形状に形成された壁６７が設けられている。この壁６７は、本体ケース５２の壁５５と共に本体取付部４の取付穴４ａに嵌入可能となるように取付穴４ａの形状と略同等形状の外形に形成されている。本体カバー６５は、ねじ６８などで本体ケース５２の後面に取り付けられる。
【００３９】
図８及び９に示すように、キャビネット１の開口部２の当接端縁２ａに取り付けられるラッチ受け６９は、その取付状態において上述した操作レバー５８のラッチ６１の揺動方向の前側に傾斜面を有する略矩形に形成されている。ラッチ受け６９の傾斜面には、スライド扉３を閉じたときにラッチ６１の係合爪６２と係合するための係合凹部（係合溝）７０が設けられている。ラッチ受け６９は、キャビネット１の開口部２の当接端縁２ａにビス７１などで取り付けられる。ラッチ受け６９は、操作レバー５８のラッチ６１と共に、スライド扉３を閉じたときにこのスライド扉３の当接端縁３ａとキャビネット１の開口部２の当接端縁２ａを当接させた状態に保持するロック機構となる。
【００４０】
上述した実施の形態（把手装置５０）では、図１０（ａ）に示すようなスライド扉３を閉じた状態において、図１２（ａ）に示すように、ロック機構を構成する操作レバー５８のラッチ６１は、その係合爪６２がラッチ受け６９の係合溝７０に係合した状態である。本体５１前面の操作開口５４に手指を挿入してスライド扉３を開方向Ｘ1 にスライド移動させる動作（スライド扉３を開ける動作）を行うために操作レバー５８の操作面６０を操作開口５４に挿入した手指で開方向Ｘ1 に押動操作することで、図１２（ｂ）に示すように、ラッチ６１が揺動してその揺動方向の前側に移動して係合爪６２と係合溝７０の係合状態が解除される。このように係合解除されると、図１０（ｂ）に示すように、スライド扉３を開けることができる。
【００４１】
上述した実施の形態（把手装置５０）によれば、操作レバー５８が一体部材からなることで、少ない部材でロック機構を構成することができる。これにより、簡素な構成の把手装置５０となる。また、操作レバー５８が本体ケース５２の収容部５６に収容されているため、スライド扉３に対して、操作レバー５８を収容した本体ケース５２と本体カバー６５を組み付けるだけで把手装置５０の取付作業が完了するようになる。したがって、取付作業が更に容易となる。
【００４２】
また、ラッチ６１の揺動範囲を規制解除することで、操作レバー５８が揺動軸５９を中心に本体ケース５２の後側に回動可能となり、本体ケース５２の収容部５６からスライド扉３の当接端縁３ａから突出していたラッチ６１を、本体ケース５２の収容部５６の幅内に収めることができる。これにより、本体５１をスライド扉３に取り付けるときにラッチ６１を逃がすために設けていた切欠き４ｂ（図２参照）が不要となり、本体取付部４が取付穴４ａだけで構成されていても、本体５１を取り付けることができるようになる。
【００４３】
さらに、可動式ストッパ６３や、ラッチ２１をその揺動方向の後側に押し付けるような付勢部材６４を簡素な構成で実現することができる。
【符号の説明】
【００４４】
１…キャビネット
２…開口部
２ａ…（開口部の）当接する一端縁
３…スライド扉
３ａ…（スライド扉の）当接する一端縁
４…本体取付部
４ａ…取付穴
４ｂ…切欠き
１０，５０…把手装置
１１，５１…本体
１２，５２…本体ケース
１３，５３…前面パネル
１４，５４…操作開口
１５，５５…壁
１６，５６…収容部
１８，５８…操作レバー
１９，５９…揺動軸
２０，６０…操作面
２１，６１…ラッチ
２２，６２…係合爪（係合凸部）
２４，６４…付勢部材となる捩じりコイルばね
２５，６５…本体カバー
２６，６６…後面パネル
２７，６７…壁
２９，６９…ラッチ受け
３０，７０…係合溝（係合凹部）
５７…規制穴
６３…ストッパ
６３ｃ…規制部
Ｘ1 …スライド扉の開方向
Ｘ2 …スライド扉の閉方向
【図１】
0006025385.tif 000002
【図２】
0006025385.tif 000003
【図３】
0006025385.tif 000004
【図４】
0006025385.tif 000005
【図５】
0006025385.tif 000006
【図６】
0006025385.tif 000007
【図７】
0006025385.tif 000008
【図８】
0006025385.tif 000009
【図９】
0006025385.tif 000010
【図１０】
0006025385.tif 000011
【図１１】
0006025385.tif 000012
【図１２】
0006025385.tif 000013
【図１３】
0006025385.tif 000014
【図１４】
0006025385.tif 000015
【図１５】
0006025385.tif 000016